【手続補正書】
【提出日】平成20年9月17日(2008.9.17)
【手続補正１】
【補正対象書類名】明細書
【補正対象項目名】発明の名称
【補正方法】変更
【補正の内容】
【発明の名称】通信装置、提供制御装置、情報提供システム、及び、情報提供方法
【手続補正２】
【補正対象書類名】明細書
【補正対象項目名】特許請求の範囲
【補正方法】変更
【補正の内容】
【特許請求の範囲】
【請求項１】
物品に装着され、提供制御装置及び端末装置と無線通信によりデータを送受信する通信手段と、
データの送受信を制御する通信制御手段と、
少なくとも所定のデータと、当該データの送受信可能な提供制御装置及び端末装置を特定するための識別情報とを記憶する記憶手段と、
上記提供制御装置から受信した識別情報更新要求に基づき、識別情報を更新可能と判定した場合に、上記記憶手段における識別情報を更新する更新判定手段と、
上記提供制御装置又は上記端末装置から書込み／読出し要求を受けて、上記記憶手段に記憶した識別情報に基づきデータの書込み／読出しの可否を判定するＲ／Ｗ判定手段とを備え、
上記通信制御手段は、上記Ｒ／Ｗ判定手段においてデータの書込み／読出しが可能と判定した場合に、上記通信手段を介して上記提供制御装置或いは上記端末装置から受信したデータを上記記憶手段へ書込み、又は上記記憶手段から読出したデータを上記通信手段を介して上記提供制御装置或いは上記端末装置へ送信する通信装置。
【請求項２】
上記更新判定手段は、追加の識別情報更新要求を上記提供制御装置から受信した場合に、識別情報の更新の可否を判定する請求項１記載の通信装置。
【請求項３】
上記通信制御手段は、上記通信手段を介して受信したデータを上記記憶手段へ書込めない場合に、データの上記記憶手段への書込みを所定の回数に限り試行する請求項１記載の通信装置。
【請求項４】
上記提供制御装置又は上記端末装置から上記無線通信手段を介して受信した電波を駆動電力に変換する整流手段を更に備える請求項１記載の通信装置。
【請求項５】
物品に装着され、提供制御装置及び端末装置と無線通信によりデータを送受信する通信手段と、
少なくとも所定のデータと、当該データの送受信可能な提供制御装置及び端末装置を特定するための識別情報とを記憶する記憶手段と、
上記データの送受信を制御し、また上記提供制御装置から受信した識別情報更新要求に基づいて識別情報を更新可能と判定した場合に上記記憶手段における識別情報を更新し、更に上記提供制御手段又は上記端末装置から書込み／読出し要求を受けて上記記憶手段に記憶した識別情報に基づきデータの書込み／読出しの可否を判定する制御手段とを備え、
上記制御手段は、データの書込み／読出しを可能と判定した場合に、上記通信手段を介して受信したデータを上記記憶手段へ書込み、又は上記記憶手段に記憶しているデータを上記通信手段を介して上記提供制御装置或いは上記端末装置へ送信する通信装置。
【請求項６】
上記提供制御装置又は上記端末装置から上記無線通信手段を介して受信した電波を駆動電力に変換する整流手段を更に備える請求項５記載の通信装置。
【請求項７】
物品に装着された通信装置と無線通信によりデータを送受信する通信手段と、
データの送受信を制御する制御手段と、
少なくとも所定のデータを記憶する記憶手段とを備え、
上記制御手段は、上記通信手段を介して上記通信装置へ、当該通信装置を介してデータの送受信可能な装置を特定するための識別情報の更新を要求する識別情報更新要求を送信する提供制御装置。
【請求項８】
上記制御手段は、書込み／読出し要求を上記通信装置へ送信し、上記通信装置においてデータの書込み／読出しが可能と判定された場合に、上記通信装置から上記通信手段を介してデータを受信し、又は上記通信手段を介して上記通信装置へデータを送信する請求項７記載の提供制御装置。
【請求項９】
物品に装着され、他の装置とデータを送受信する通信手段と、データの送受信を制御する通信制御手段と、少なくとも所定のデータと当該データの送受信可能な提供制御装置及び端末装置を特定するための識別情報とを記憶する記憶手段とを有する通信装置と、
上記通信装置とデータを送受信する通信手段と、データの送受信を制御する制御手段と、少なくとも所定のデータを記憶する記憶手段とを有する提供制御装置とを備え、
上記通信装置は、上記提供制御装置から受信した識別情報更新要求に基づき識別情報を更新できるものと判定した場合に記憶手段における識別情報を更新し、上記提供制御装置から書込み／読出し要求を受けて上記記憶手段に記憶した識別情報に基づきデータの書込み／読出しの可否を判定し、データの書込み又は読出しが可能と判定した場合に、上記提供制御装置から受信したデータを上記記憶手段へ書込み、又は上記記憶手段に記憶しているデータを上記提供制御装置へ送信する情報提供システム。
【請求項１０】
上記通信装置は、追加の識別情報更新要求を上記提供制御装置から受信した場合に、識別情報の更新の可否を判定する請求項９記載の情報提供システム。
【請求項１１】
上記通信装置は、上記提供制御装置から受信したデータを上記記憶手段へ書込めない場合に、データの上記記憶手段への書込みを所定の回数に限り試行する請求項９記載の情報提供システム。
【請求項１２】
上記通信装置は、受信した電波を駆動電力に変換する整流手段を更に有する請求項９記載の情報提供システム。
【請求項１３】
書込み／読出し要求を上記通信装置へ送信し、上記通信装置においてデータの書込み／読出しが可能と判定された場合に、上記通信装置からデータを受信し、又は上記通信装置へデータを送信する端末装置を更に備える請求項９記載の情報提供システム。
【請求項１４】
提供制御装置との無線通信を行う通信手段と、
少なくとも所定のデータを記憶する記憶手段と、
上記記憶手段に記憶された所定のデータの端末装置による読み出しを制御する読み出し制御手段とを備え、
上記読み出し制御手段は、上記記憶手段に記憶された所定のデータの端末装置による読み出しを可能とするよう求める要求を、上記通信手段を介して上記提供制御装置から受信し、この要求に応じて上記端末装置によるデータの読み出しを可能とする通信装置。
【請求項１５】
通信装置との無線通信を行う通信手段と、
上記通信装置内の記憶手段に記憶された所定のデータの端末装置による読み出しを制御する読み出し制御手段とを備え、
上記読み出し制御手段は、上記記憶手段に記憶された所定のデータの端末装置による読み出しを可能とするよう求める要求を、上記通信装置に送信するように上記通信手段を制御する提供制御装置。
【請求項１６】
上記読み出し制御手段は、認証システムからの認証を受けたことを条件として、上記記憶手段に記憶された所定のデータの端末装置による読み出しを可能とするよう求める要求を、上記通信装置に送信するように上記通信手段を制御する請求項１５記載の提供制御装置。
【請求項１７】
他の装置との無線通信を行う通信手段と、少なくとも所定のデータを記憶する記憶手段と、上記記憶手段に記憶された所定のデータの端末装置による読み出しを制御する読み出し制御手段とを有する通信装置と、
上記通信装置と無線通信する通信手段を有する提供制御装置とを備え、
上記読み出し制御手段は、上記記憶手段に記憶された所定のデータの端末装置による読み出しを可能とするよう求める要求を、上記通信手段を介して上記提供制御装置から受信し、この要求に応じて上記端末装置によるデータの読み出しを可能とする情報提供システム。
【請求項１８】
通信装置が備える記憶手段に記憶された所定のデータの端末装置による読み出しを可能とするよう求める要求を、提供制御装置から受信する受信ステップと、
上記受信ステップにより受信した要求に応じて、上記端末装置によるデータの読み出しを可能とする読み出し可能ステップとを有する情報提供方法。
【手続補正３】
【補正対象書類名】明細書
【補正対象項目名】０００１
【補正方法】変更
【補正の内容】
【０００１】
【発明の属する技術分野】
本発明は、商品の購入者に対してのみ特有の情報を提供するための通信装置、提供制御装置、情報提供システム、及び、情報提供方法に関する。
【手続補正４】
【補正対象書類名】明細書
【補正対象項目名】０００８
【補正方法】変更
【補正の内容】
【０００８】
そこで、本発明は、上述したような実情に鑑みて提案されたものであり、商品の購入者のみに対して特別情報を提供することができる通信装置、提供制御装置、情報提供システム、及び、情報提供方法を提供することを目的とする。
【手続補正５】
【補正対象書類名】明細書
【補正対象項目名】００１０
【補正方法】変更
【補正の内容】
【００１０】
すなわち、本発明に係る通信装置は、物品に装着され、提供制御装置及び端末装置と無線通信によりデータを送受信する通信手段と、データの送受信を制御する通信制御手段と、少なくとも所定のデータと当該データの送受信可能な提供制御装置及び端末装置を識別するための識別情報とを記憶する記憶手段と、提供制御装置から受信した識別情報更新要求に基づき、識別情報を更新可能と判定した場合に、記憶手段における識別情報を更新する更新判定手段と、提供制御装置又は端末装置から書込み／読出し要求を受けて、記憶手段に記憶した識別情報に基づきデータの書込み／読出しの可否を判定するＲ／Ｗ判定手段とを備え、通信制御手段は、Ｒ／Ｗ判定手段においてデータの書込み／読出しが可能と判定した場合に、通信手段を介して提供制御装置或いは端末装置から受信したデータを記憶手段へ書込み、又は記憶手段から読出したデータを通信手段を介して提供制御装置或いは端末装置へ送信する。
【手続補正６】
【補正対象書類名】明細書
【補正対象項目名】００１１
【補正方法】変更
【補正の内容】
【００１１】
本発明に係る通信装置は、物品に装着され、提供制御装置及び端末装置と無線通信によりデータを送受信する通信手段と、少なくとも所定のデータと、当該データの送受信可能な提供制御装置及び端末装置を特定するための識別情報とを記憶する記憶手段と、データの送受信を制御し、また提供制御装置から受信した識別情報更新要求に基づいて識別情報を更新可能と判定した場合に記憶手段における識別情報を更新し、更に提供制御手段又は端末装置から書込み／読出し要求を受けて記憶手段に記憶した識別情報に基づきデータの書込み／読出しの可否を判定する制御手段とを備え、制御手段は、データの書込み／読出しを可能と判定した場合に、通信手段を介して受信したデータを記憶手段へ書込み、又は記憶手段に記憶しているデータを通信手段を介して提供制御装置或いは端末装置へ送信する。
【手続補正７】
【補正対象書類名】明細書
【補正対象項目名】００１２
【補正方法】変更
【補正の内容】
【００１２】
本発明に係る提供制御装置は、上述の課題を解決するために、物品に装着された通信装置と無線通信によりデータを送受信する通信手段と、データの送受信を制御する制御手段と、少なくとも所定のデータを記憶する記憶手段とを備え、制御手段は、通信手段を介して通信装置へ、当該通信装置を介してデータの送受信可能な装置を特定するための識別情報の更新を要求する識別情報更新要求を送信する。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
本発明に係る情報提供システムは、上述の課題を解決するために、物品に装着され、他の装置とデータを送受信する通信手段と、データの送受信を制御する通信制御手段と、少なくとも所定のデータと当該データの送受信可能な提供制御装置及び端末装置を特定するための識別情報とを記憶する記憶手段とを有する通信装置と、通信装置とデータを送受信する通信手段と、データの送受信を制御する制御手段と、少なくとも所定のデータを記憶する記憶手段とを有する提供制御装置とを備え、通信装置は、提供制御装置から受信した識別情報更新要求に基づき識別情報を更新できるものと判定した場合に記憶手段における識別情報を更新し、提供制御装置から書込み／読出し要求を受けて記憶手段に記憶した識別情報に基づきデータの書込み／読出しの可否を判定し、データの書込み又は読出しが可能と判定した場合に、提供制御装置から受信したデータを記憶手段へ書込み、又は記憶手段に記憶しているデータを提供制御装置へ送信する。
【手続補正１０】
【補正対象書類名】明細書
【補正対象項目名】００１５
【補正方法】変更
【補正の内容】
【００１５】
本発明に係る通信装置は、提供制御装置との無線通信を行う通信手段と、少なくとも所定のデータを記憶する記憶手段と、記憶手段に記憶された所定のデータの端末装置による読み出しを制御する読み出し制御手段とを備え、読み出し制御手段は、記憶手段に記憶された所定のデータの端末装置による読み出しを可能とするよう求める要求を、通信手段を介して提供制御装置から受信し、この要求に応じて端末装置によるデータの読み出しを可能とする。
本発明に係る提供制御装置は、通信装置との無線通信を行う通信手段と、通信装置内の記憶手段に記憶された所定のデータの端末装置による読み出しを制御する読み出し制御手段とを備え、読み出し制御手段は、記憶手段に記憶された所定のデータの端末装置による読み出しを可能とするよう求める要求を、通信装置に送信するように通信手段を制御する。
本発明に係る情報提供システムは、他の装置との無線通信を行う通信手段と、少なくとも所定のデータを記憶する記憶手段と、記憶手段に記憶された所定のデータの端末装置による読み出しを制御する読み出し制御手段とを有する通信装置と、通信装置と無線通信する通信手段を有する提供制御装置とを備え、読み出し制御手段は、記憶手段に記憶された所定のデータの端末装置による読み出しを可能とするよう求める要求を、通信手段を介して提供制御装置から受信し、この要求に応じて端末装置によるデータの読み出しを可能とする。
本発明に係る情報提供方法は、通信装置が備える記憶手段に記憶された所定のデータの端末装置による読み出しを可能とするよう求める要求を、提供制御装置から受信する受信ステップと、受信ステップにより受信した要求に応じて、端末装置によるデータの読み出しを可能とする読み出し可能ステップとを有する。